(57)【特許請求の範囲】
【請求項１】
光軸方向に並ぶ複数のレンズと、
前記複数のレンズを収納する鏡筒と、
前記複数のレンズのうち前記鏡筒の開口端側から連続して並ぶ２つ以上のレンズであって各レンズの外径が同一であるか又は前記開口端側から単調に増加している前記２つ以上のレンズと前記鏡筒との間に介在する押圧部材と、
を備え、
前記鏡筒は、前記開口端から前記光軸方向に延び、前記開口端側から前記押圧部材が挿し込み可能な挿し込み溝を内周面に有し、
前記２つ以上のレンズの各レンズは、前記挿し込み溝に差し込まれている前記押圧部材によって径方向に押圧され、押圧方向に直交し且つ光軸を包含する平面を挟んで前記挿し込み溝が設けられている側とは反対側の前記鏡筒の内周面に押し付けられており、
前記押圧部材は、
前記挿し込み溝の底面に接する基部と、
前記押圧方向に弾性的に変位可能に前記基部に支持されており、前記２つ以上のレンズの各レンズの外周面に接する押圧部と、
を有し、
前記押圧部は、前記基部に支持されている基端部から、前記基部との間に前記押圧方向の隙間をあけて前記挿し込み溝の前記開口端側に向けて延びているレンズユニット。
【請求項２】
請求項１記載のレンズユニットであって、
前記押圧部は、前記２つ以上のレンズのレンズ毎に個別に設けられているレンズユニット。
【請求項３】
光軸方向に並ぶ複数のレンズと、
前記複数のレンズを収納する鏡筒と、
前記複数のレンズのうち前記鏡筒の開口端側から連続して並ぶ２つ以上のレンズであって各レンズの外径が同一であるか又は前記開口端側から単調に増加している前記２つ以上のレンズと前記鏡筒との間に介在する押圧部材と、
を備え、
前記鏡筒は、前記開口端から前記光軸方向に延び、前記開口端側から前記押圧部材が挿し込み可能な挿し込み溝を内周面に有し、
前記２つ以上のレンズの各レンズは、前記挿し込み溝に差し込まれている前記押圧部材によって径方向に押圧され、押圧方向に直交し且つ光軸を包含する平面を挟んで前記挿し込み溝が設けられている側とは反対側の前記鏡筒の内周面に押し付けられており、
前記押圧部材は、
前記２つ以上のレンズの各レンズの外周面に接する基部と、
前記押圧方向に弾性的に変位可能に前記基部に支持されており、前記挿し込み溝の底面に接する押圧部と、
を有し、
前記押圧部は、前記基部に支持されている基端部から、前記基部との間に前記押圧方向の隙間をあけて前記挿し込み溝の前記開口端側に向けて延びているレンズユニット。
【請求項４】
請求項３記載のレンズユニットであって、
前記押圧部は、前記２つ以上のレンズの各レンズと接する前記基部の接触部毎に個別に設けられているレンズユニット。
【請求項５】
請求項３記載のレンズユニットであって、
前記押圧部は、前記２つ以上のレンズの各レンズと接する前記基部の接触部の全てに跨って設けられているレンズユニット。
【請求項６】
請求項３から５のいずれか一項記載のレンズユニットであって、
前記押圧部の少なくとも前記基端部は、前記挿し込み溝の前記開口端側に向けて前記基部から次第に離間する傾斜状に形成されているレンズユニット。
【請求項７】
請求項１から６のいずれか一項記載のレンズユニットであって、
前記鏡筒は、前記２つ以上のレンズの各レンズが押し付けられている内周面に、前記光軸方向に並行して延びる複数の凸部を有するレンズユニット。
【請求項８】
請求項１から７のいずれか一項記載のレンズユニットを備える撮像装置。
【請求項９】
請求項８記載の車載用の撮像装置。
【発明の詳細な説明】
【技術分野】
【０００１】
本発明は、レンズユニット及びレンズユニットの製造方法並びに撮像装置に関する。
【背景技術】
【０００２】
撮像装置のレンズユニットとして、光軸方向に並ぶ複数のレンズが鏡筒に収納されてなるレンズユニットが用いられている。鏡筒に収納されたレンズは、例えば鏡筒に嵌合されることによって固定され、又は鏡筒に接着されることによって固定されている。また、レンズが鏡筒の内周面に押し付けられることによって固定されるレンズユニットも知られている。【０００３】
特許文献１に記載されたレンズ保持鏡筒では、軸方向に延びる二つの凸部が鏡筒の内径部に一体的に設けられている。鏡筒に収納された複数のレンズは、二つの凸部によって径方向に弾性的に押圧されており、鏡筒の内周面の押圧方向との交差部位に押し付けられることによって固定されている。【０００４】
特許文献２に記載されたレンズ取付け装置では、Ｖ字状に収斂する二つの壁によって構成されるＶブロックがレンズバレルの内部に設けられている。レンズバレルに収納された複数のレンズは、レンズバレルの内部のスプリング要素によって径方向に弾性的に押圧されており、Ｖブロックの二つの壁に押し付けられることによって固定されている。【０００５】
特許文献３に記載されたレンズ鏡胴では、レンズ枠の内面から外面に貫通し且つ光軸方向に延びる開口部がレンズ枠に設けられており、開口部に押圧部材が嵌め込まれている。レンズ枠に収納された複数のレンズは、開口部に嵌め込まれた押圧部材によって径方向に押圧されており、レンズ枠の内周面の押圧方向との交差部位に押し付けられることによって固定されている。
【先行技術文献】
【特許文献】
【０００６】
【特許文献１】実開昭５９−９０９０６号公報
【特許文献２】特開平５−１９６８４９号公報
【特許文献３】特開２０１２−２９４５号公報
【発明の概要】
【発明が解決しようとする課題】
【０００７】
レンズユニットのレンズ及び鏡筒それぞれの熱膨張係数の差に起因し、環境温度の変化に伴ってレンズと鏡筒との間に隙間が生じ得る。レンズが鏡筒に嵌合されることによって固定される場合に、レンズと鏡筒との間に隙間が生じると、レンズに倒れ及び偏芯が生じ、レンズユニットの光学性能が低下する虞がある。とりわけ、車載用の撮像装置に用いられるレンズユニットは例えば−４０℃から１２５℃程度の極めて広範な温度環境に晒されるため、レンズと鏡筒との間に隙間が生じやすく、レンズに倒れ及び偏芯が生じやすい。【０００８】
レンズが鏡筒に接着されることによって固定される場合に、レンズと鏡筒との間に隙間が生じることに起因するレンズの倒れ及び偏芯は抑制され得るが、例えば接着剤によってレンズが浮いてしまい、レンズに倒れが生じ、またレンズ間隔に設計交差を超える誤差が生じる虞がある。【０００９】
レンズが、径方向に弾性的に押圧され、鏡筒の内周面に押し付けられることによって固定される場合には、レンズの熱膨張と鏡筒の熱膨張との間に差が生じたとしてもレンズと鏡筒の内周面との接触が維持され、接着剤によるレンズの浮きも解消される。【００１０】
しかし、特許文献１に記載されたレンズ保持鏡筒では、レンズを弾性的に押圧する凸部が鏡筒の内径部に一体的に設けられている。このため、レンズが鏡筒に挿入される際にもレンズは凸部によって押圧され、この押圧によってレンズの挿入が阻害され、レンズの位置精度が低下する虞がある。【００１１】
特許文献２には、レンズを弾性的に押圧するスプリング要素の具体的な構成が記載されていないが、このスプリング要素が、特許文献１に記載されたレンズ保持鏡筒の凸部のように、レンズバレルに一体的に設けられたものである場合に、レンズがレンズバレルに挿入される際にもレンズはスプリング要素によって押圧され、この押圧によってレンズの挿入が阻害され、レンズの位置精度が低下する虞がある。【００１２】
また、特許文献３に記載されたレンズ鏡胴では、レンズがレンズ枠に収納された後に押圧部材がレンズ枠の開口部に嵌め込まれることにより、押圧部材の押圧によってレンズの挿入が阻害される不都合は解消されるが、開口部がレンズ枠を貫通して設けられていることによってレンズ枠の強度が低下し、強度の低下に起因してレンズ枠に歪みが生じ、やはりレンズの位置精度が低下する虞がある。【００１３】
本発明は、上述した事情に鑑みなされたものであり、レンズの位置精度を高め且つ位置精度を維持できるレンズユニット及びレンズユニットの製造方法並びに撮像装置を提供することを目的とする。
【課題を解決するための手段】
【００１４】
本発明の一態様のレンズユニットは、光軸方向に並ぶ複数のレンズと、上記複数のレンズを収納する鏡筒と、上記複数のレンズのうち上記鏡筒の開口端側から連続して並ぶ２つ以上のレンズであって各レンズの外径が同一であるか又は上記開口端側から単調に増加している２つ以上のレンズと上記鏡筒との間に介在する押圧部材と、を備え、上記鏡筒は、上記開口端から上記光軸方向に延び、上記開口端側から上記押圧部材が挿し込み可能な挿し込み溝を内周面に有し、上記２つ以上のレンズの各レンズは、上記挿し込み溝に差し込まれている上記押圧部材によって径方向に押圧され、押圧方向に直交し且つ光軸を包含する平面を挟んで上記挿し込み溝が設けられている側とは反対側の上記鏡筒の内周面に押し付けられており、上記押圧部材は、上記挿し込み溝の底面に接する基部と、上記押圧方向に弾性的に変位可能に上記基部に支持されており、上記２つ以上のレンズの各レンズの外周面に接する押圧部と、を有し、上記押圧部は、上記基部に支持されている基端部から、上記基部との間に上記押圧方向の隙間をあけて上記挿し込み溝の上記開口端側に向けて延びている。
【００１５】
また、本発明の一態様の上記レンズユニットは、光軸方向に並ぶ複数のレンズと、上記複数のレンズを収納する鏡筒と、上記複数のレンズのうち上記鏡筒の開口端側から連続して並ぶ２つ以上のレンズであって各レンズの外径が同一であるか又は上記開口端側から単調に増加している上記２つ以上のレンズと上記鏡筒との間に介在する押圧部材と、を備え、上記鏡筒は、上記開口端から上記光軸方向に延び、上記開口端側から上記押圧部材が挿し込み可能な挿し込み溝を内周面に有し、上記２つ以上のレンズの各レンズは、上記挿し込み溝に差し込まれている上記押圧部材によって径方向に押圧され、押圧方向に直交し且つ光軸を包含する平面を挟んで上記挿し込み溝が設けられている側とは反対側の上記鏡筒の内周面に押し付けられており、上記押圧部材は、上記２つ以上のレンズの各レンズの外周面に接する基部と、上記押圧方向に弾性的に変位可能に上記基部に支持されており、上記挿し込み溝の底面に接する押圧部と、を有し、上記押圧部は、上記基部に支持されている基端部から、上記基部との間に上記押圧方向の隙間をあけて上記挿し込み溝の上記開口端側に向けて延びている。
【００１６】
また、本発明の一態様の撮像装置は、上記レンズユニットを備える。
【発明の効果】
【００１７】
本発明によれば、レンズの位置精度を高め且つ位置精度を維持できるレンズユニット及びレンズユニットの製造方法並びに撮像装置を提供することができる。
【図面の簡単な説明】
【００１８】
【図１】本発明の実施形態を説明するための、撮像装置の一例を示す模式図である。
【図２】図１の撮像装置のレンズユニットの斜視図である。
【図３】図２のレンズユニットの縦断面図である。
【図４】図２のレンズユニットの横断面図である。
【図５】図２のレンズユニットの鏡筒の斜視図である。
【図６】図２のレンズユニットの製造方法を示す模式図である。
【図７】図２のレンズユニットの製造方法を示す模式図である。
【図８】図２のレンズユニットの鏡筒の変形例の斜視図である。
【図９】図２のレンズユニットの押圧部材の他の例の斜視図である。
【図１０】図９の押圧部材が用いられたレンズユニットの断面図である。
【図１１】図９の押圧部材の変形例の斜視図である。
【図１２】図２のレンズユニットの押圧部材の他の例を示す斜視図である。
【図１３】図１２の押圧部材が用いられたレンズユニットの断面図である。
【図１４】図１２の押圧部材の変形例の斜視図である。
【図１５】図１の撮像装置のレンズユニットの他の例の断面図である。
【図１６】本発明の実施形態を説明するための、撮像装置が搭載された電子機器の一例の模式図である。
【図１７】図１６の電子機器の機能ブロック図である。
【発明を実施するための形態】
【００１９】
図１は、本発明の実施形態を説明するための、撮像装置の一例を示す。
【００２０】
図１に示す撮像装置２は、自動車１に搭載された車載用の撮像装置である。撮像装置２は、車内ルーフに設置されており、自動車１のフロントガラスを通して前方を撮像する。撮像装置２によって撮像された画像は、例えば映像記録型ドライブレコーダでは、事故発生時に記録装置に記録され、また、自動ブレーキ等の運転支援システムでは、進行方向前方の障害物を検出する画像認識に用いられる。
【００２１】
なお、撮像装置２の設置箇所、撮像領域、及び撮像画像の用途は、上記の例に限定されない。例えば、撮像装置２は、車外後部に設置され、後方を撮像するものであってもよく、撮像装置２によって撮像された画像は、車内に設置されるモニタに表示され、後方の状況確認及び駐車の際の後進ガイドに用いられる。また、撮像装置２は、車外前席ドアに設置され、車側後方を撮像するものであってもよく、撮像装置２によって撮像された画像は、車内に設置されるモニタに表示され、ドアミラーの代替として車側後方の状況確認に用いられる。
【００２２】
図２から図４は撮像装置２のレンズユニットを示し、図５は図２から図４のレンズユニットの鏡筒を示す。
【００２３】
撮像装置２のレンズユニット１０は、レンズユニット１０の光軸Ａの軸方向に並ぶ複数のレンズと、複数のレンズを収納する鏡筒１１とを備える。本例では、鏡筒１１の像側の開口端１１ａ側から順に第１レンズＬ１、第２レンズＬ２、及び第３レンズＬ３の三つのレンズが連続して並べられている。
【００２４】
第１レンズＬ１、第２レンズＬ２、及び第３レンズＬ３は、例えばポリメタクリル酸メチレン樹脂（Polymethyl Methacrylate：ＰＭＭＡ）、シクロオレフィンポリマー樹脂（Cyclo Olefin Polymer：ＣＯＰ）等の樹脂、又は石英ガラス、ホウケイ酸ガラス等の光学ガラスからなり、いずれも円形状に形成されている。
【００２５】
第２レンズＬ２の外径は第１レンズＬ１の外径よりも大きく、第３レンズＬ３の外径は第２レンズＬ２の外径よりも大きくなっており、すなわち、第１レンズＬ１、第２レンズＬ２、及び第３レンズＬ３それぞれの外径は、鏡筒１１の像側の開口端１１ａ側から単調に増加している。
【００２６】
鏡筒１１は、例えばポリカーボネート樹脂（Polycarbonate：ＰＣ）、アクリロニトリル・ブタジエン・スチレン共重合樹脂（Acrylonitrile Butadiene Styrene：ＡＢＳ）等の樹脂、又はアルミナ（Ａｌ２Ｏ３）、ジルコニア（ＺｒＯ２）等のセラミックスからなり、円筒状に形成されている。鏡筒１１の材料の熱膨張係数は、第１レンズＬ１、第２レンズＬ２、及び第３レンズＬ３の材料の熱膨張係数と異なる。
【００２７】
鏡筒１１の内周面には、第１レンズＬ１が嵌合する第１嵌合部２１、第２レンズＬ２が嵌合する第２嵌合部２２、及び第３レンズＬ３が嵌合する第３嵌合部２３が設けられている。
【００２８】
第１嵌合部２１の内径は、鏡筒１１の像側の開口端１１ａ側の端部の内径よりも大きくなっており、第１嵌合部２１と開口端１１ａ側の端部との間には段差面２１ａが形成されている。第１レンズＬ１は、段差面２１ａに当接することによって光軸方向に位置決めされている。
【００２９】
第２嵌合部２２の内径は、第１嵌合部２１の内径よりも大きくなっており、第２レンズＬ２は、第２嵌合部２２と第１嵌合部２１との間に形成されている段差面２２ａに当接することによって光軸方向に位置決めされている。
【００３０】
第３嵌合部２３の内径は、第２嵌合部２２の内径よりも大きくなっており、第３レンズＬ３は、第３嵌合部２３と第２嵌合部２２との間に形成されている段差面２３ａに当接することによって光軸方向に位置決めされている。
【００３１】
鏡筒１１の内周面には、さらに挿し込み溝２４が設けられている。挿し込み溝２４は、鏡筒１１の像側の開口端１１ａから光軸方向に延び、図示の例では鏡筒１１の被写体側の開口端１１ｂまで達しており、第１嵌合部２１、第２嵌合部２２、及び第３嵌合部２３に及んでいる。
【００３２】
レンズユニット１０は、挿し込み溝２４に挿し込まれる押圧部材１２をさらに備える。押圧部材１２は、挿し込み溝２４に挿し込まれた状態で、第１嵌合部２１に嵌合した第１レンズＬ１、第２嵌合部２２に嵌合した第２レンズＬ２、及び第３嵌合部２３に嵌合した第３レンズＬ３と鏡筒１１との間に介在する。
【００３３】
押圧部材１２は、例えば天然ゴム、合成ゴム等の加硫ゴム、又はシリコーンゴム、フッ素ゴム等の熱硬化性樹脂系エラストマー、若しくは熱可塑性樹脂系エラストマーといったゴム弾性を有する弾性材料からなる。なお、車載用の撮像装置２が例えば−４０℃から１２５℃程度の極めて広範な温度環境に晒されることを考慮すれば、押圧部材１２の材料としては、比較的耐熱性に優れる加硫ゴム又は熱硬化性樹脂系エラストマーが好適である。
【００３４】
押圧部材１２には、第１接触部３１、第２接触部３２、及び第３接触部３３が設けられている。押圧部材１２が挿し込み溝２４に挿し込まれた状態で、第１接触部３１は第１嵌合部２１と同一円周上に配置され、第２接触部３２は第２嵌合部２２と同一円周上に配置され、第３接触部３３は第３嵌合部２３と同一円周上に配置される。
【００３５】
そして、図４に示すように、第１接触部３１の一部は、第１嵌合部２１の内径円周Ｃ１よりも内径側に配置されている。第１接触部３１は、第１嵌合部２１に嵌合した第１レンズＬ１の外周面に接し、第１レンズＬ１によって径方向に圧縮される。そして、径方向に圧縮された第１接触部３１は第１レンズＬ１を径方向に押圧する。これにより、第１レンズＬ１は、押圧方向に直交し且つ光軸Ａを包含する平面Ｓを挟んで挿し込み溝２４が設けられている側とは反対側の鏡筒１１の内周面に押し付けられる。
【００３６】
同様に、第２接触部３２の一部は、第２嵌合部２２の内径円周よりも内径側に配置されており、第２接触部３２は、第２嵌合部２２に嵌合した第２レンズＬ２の外周面に接し、第２レンズＬ２によって径方向に圧縮される。径方向に圧縮された第２接触部３２は第２レンズＬ２を径方向に押圧し、第２レンズＬ２は、平面Ｓを挟んで挿し込み溝２４が設けられている側とは反対側の鏡筒１１の内周面に押し付けられる。
【００３７】
第３接触部３３の一部もまた、第３嵌合部２３の内径円周よりも内径側に配置されており、第３接触部３３は、第３嵌合部２３に嵌合した第３レンズＬ３の外周面に接し、第３レンズＬ３によって径方向に圧縮される。径方向に圧縮された第３接触部３３は第３レンズＬ３を径方向に押圧し、第３レンズＬ３は、平面Ｓを挟んで挿し込み溝２４が設けられている側とは反対側の鏡筒１１の内周面に押し付けられる。
【００３８】
このように、第１レンズＬ１、第２レンズＬ２、及び第３レンズＬ３は、押圧部材１２によって径方向に押圧されることにより、鏡筒１１の内周面に押し付けられた状態で固定されている。環境温度の変化に伴って第１レンズＬ１、第２レンズＬ２、及び第３レンズＬ３の熱膨張と鏡筒１１の熱膨張との間に差が生じたとしても、第１レンズＬ１、第２レンズＬ２、及び第３レンズＬ３と鏡筒１１の内周面との接触が維持され、各レンズの倒れ及び偏芯が抑制される。
【００３９】
図６及び図７は、レンズユニット１０の製造方法を示す。
【００４０】
まず、図６に示すように、第１レンズＬ１、第２レンズＬ２、及び第３レンズＬ３が、鏡筒１１の被写体側の開口端１１ｂ側から、第１レンズＬ１、第２レンズＬ２、及び第３レンズＬ３の順に鏡筒１１に挿入される。
【００４１】
鏡筒１１に挿入された第１レンズＬ１は、鏡筒１１の第１嵌合部２１（図３参照）に嵌合し、且つ段差面２１ａに当接することによって光軸方向に位置決めされた状態で鏡筒１１の内部に配置される。同様に、第２レンズＬ２は、鏡筒１１の第２嵌合部２２（図３参照）に嵌合し、且つ段差面２２ａに当接することによって光軸方向に位置決めされた状態で鏡筒１１の内部に配置され、第３レンズＬ３は、鏡筒１１の第３嵌合部２３（図３参照）に嵌合し、且つ段差面２３ａに当接することによって光軸方向に位置決めされた状態で鏡筒１１の内部に配置される。
【００４２】
続いて、図７に示すように、押圧部材１２が、鏡筒１１の像側の開口端１１ａ側から挿し込み溝２４に挿し込まれる。これにより、押圧部材１２が第１レンズＬ１、第２レンズＬ２、及び第３レンズＬ３と鏡筒１１との間に介在し、第１レンズＬ１、第２レンズＬ２、及び第３レンズＬ３は、押圧部材１２によって径方向に押圧され、鏡筒１１の内周面に押し付けられる。
【００４３】
このように、第１レンズＬ１、第２レンズＬ２、及び第３レンズＬ３が鏡筒１１に挿入された後に押圧部材１２が鏡筒１１の挿し込み溝２４に挿し込まれることにより、第１レンズＬ１、第２レンズＬ２、及び第３レンズＬ３の挿入が押圧部材１２によって阻害されることがない。これにより、第１レンズＬ１、第２レンズＬ２、及び第３レンズＬ３の位置精度を高めることができる。
【００４４】
また、押圧部材１２が挿し込まれる鏡筒１１の挿し込み溝２４は鏡筒１１を径方向に貫通しておらず、挿し込み溝２４が設けられることに起因した鏡筒１１の強度の低下が抑制される。これにより、鏡筒１１の歪みを抑制して第１レンズＬ１、第２レンズＬ２、及び第３レンズＬ３の位置精度を高めることができる。
【００４５】
以上により、第１レンズＬ１、第２レンズＬ２、及び第３レンズＬ３の位置精度を高め且つ位置精度を維持することが可能となり、撮像装置２によって撮像される画像の画質を長期に亘って良好に維持することができる。
【００４６】
図８は、鏡筒１１の変形例を示す。
【００４７】
図８に示す例では、押圧部材１２によって径方向に押圧された第１レンズＬ１、第２レンズＬ２、及び第３レンズＬ３が押し付けられる鏡筒１１の内周面に、複数の凸部２５が設けられている。凸部２５は、二つ一組として、第１嵌合部２１、第２嵌合部２２、及び第３嵌合部２３に一組ずつ設けられており、一組の凸部２５は、円周方向に間隔をあけて配置されており、光軸方向に並行して延びている。
【００４８】
押圧部材１２によって径方向に押圧された第１レンズＬ１は、第１嵌合部２１に設けられた一組の凸部２５に押し付けられ、一組の凸部２５及び押圧部材１２の三点にて支持される。同様に、第２レンズＬ２は、第２嵌合部２２に設けられた一組の凸部２５及び押圧部材１２の三点にて支持され、第３レンズＬ３もまた、第３嵌合部２３に設けられた一組の凸部２５及び押圧部材１２の三点にて支持される。これにより、各レンズの支持が安定し、各レンズの倒れ及び偏芯を一層抑制することができる。
【００４９】
図９及び図１０は、上述した押圧部材１２の他の例を示す。
【００５０】
図９に示す押圧部材１３は、鏡筒１１の挿し込み溝２４の底面に接する基部４４と、第１レンズＬ１の外周面に接する第１押圧部４５と、第２レンズＬ２の外周面に接する第２押圧部４６と、第３レンズＬ３の外周面に接する第３押圧部４７とを有する。第１押圧部４５、第２押圧部４６、及び第３押圧部４７は、いずれも基部４４に支持されている。押圧部材１３は、本例では樹脂からなり、基部４４と、第１押圧部４５、第２押圧部４６、及び第３押圧部４７とは一体に形成されている。
【００５１】
第１押圧部４５は、基部４４に支持されている基端部４５ａから、基部４４との間に押圧方向の隙間をあけて鏡筒１１の像側の開口端１１ａ側に向けて延びている。そして、第１押圧部４５は、第１レンズＬ１の外周面と挿し込み溝２４の底面に支持された基部４４との間に挟み込まれることにより、基部４４との間にあけられた隙間を狭める向きに弾性的に撓められ、撓められた第１押圧部４５は第１レンズＬ１を径方向に押圧する。なお、第１押圧部４５は、弾性的に撓められた状態で、光軸Ａと平行に配置されている。
【００５２】
同様に、第２押圧部４６は、基部４４に支持されている基端部４６ａから、基部４４との間に押圧方向の隙間をあけて鏡筒１１の像側の開口端１１ａ側に向けて延びている。そして、第２押圧部４６は、第２レンズＬ２の外周面と挿し込み溝２４の底面に支持された基部４４との間に挟み込まれることにより、基部４４との間にあけられた隙間を狭める向きに弾性的に撓められ、弾性的に撓められた第２押圧部４６は第２レンズＬ２を径方向に押圧する。なお、第２押圧部４６は、弾性的に撓められた状態で、光軸Ａと平行に配置されている。
【００５３】
第３押圧部４７もまた、基部４４に支持されている基端部４７ａから、基部４４との間に押圧方向の隙間をあけて鏡筒１１の像側の開口端１１ａ側に向けて延びている。そして、第３押圧部４７は、第３レンズＬ３の外周面と挿し込み溝２４の底面に支持された基部４４との間に挟み込まれることにより、基部４４との間にあけられた隙間を狭める向きに弾性的に撓められ、弾性的に撓められた第３押圧部４７は第３レンズＬ３を径方向に押圧する。なお、第３押圧部４７は、弾性的に撓められた状態で、光軸Ａと平行に配置されている。
【００５４】
押圧部材１３は、上述した押圧部材１２と同様に、第１レンズＬ１、第２レンズＬ２、及び第３レンズＬ３が鏡筒１１に挿入された後、鏡筒１１の像側の開口端１１ａ側から挿し込み溝２４に挿し込まれる。これにより、押圧部材１３が第１レンズＬ１、第２レンズＬ２、及び第３レンズＬ３と鏡筒１１との間に介在し、第１レンズＬ１、第２レンズＬ２、及び第３レンズＬ３は、押圧部材１３によって径方向に押圧され、鏡筒１１の内周面に押し付けられる。
【００５５】
なお、第１レンズＬ１、第２レンズＬ２、及び第３レンズＬ３が挿入された鏡筒１１の挿し込み溝２４に押圧部材１３が円滑に挿し込まれるよう、第１押圧部４５、第２押圧部４６、及び第３押圧部４７それぞれの少なくとも基端部は、鏡筒１１の像側の開口端１１ａ側に向けて基部４４から次第に離間する傾斜状に形成されていることが好ましい。
【００５６】
この押圧部材１３によっても、上述した押圧部材１２と同様、環境温度の変化に伴って第１レンズＬ１、第２レンズＬ２、及び第３レンズＬ３の熱膨張と鏡筒１１の熱膨張との間に差が生じたとしても、第１レンズＬ１、第２レンズＬ２、及び第３レンズＬ３と鏡筒１１の内周面との接触を維持し、各レンズの倒れ及び偏芯を抑制することができる。
【００５７】
また、第１レンズＬ１、第２レンズＬ２、及び第３レンズＬ３が鏡筒１１に挿入された後に押圧部材１３が鏡筒１１の挿し込み溝２４に挿し込まれるので、第１レンズＬ１、第２レンズＬ２、及び第３レンズＬ３の鏡筒１１への挿入を押圧部材１３によって阻害せず、第１レンズＬ１、第２レンズＬ２、及び第３レンズＬ３の位置精度を高めることができる。
【００５８】
なお、図９に示した押圧部材１３では、基部４４と、第１押圧部４５、第２押圧部４６、及び第３押圧部４７とが一体に形成されているが、図１１に示すように、第１押圧部４５、第２押圧部４６、及び第３押圧部４７の材料に金属板を用い、基部４４の材料に樹脂を用い、基部４４と、第１押圧部４５、第２押圧部４６、及び第３押圧部４７とをインサート成形によって一体化してもよい。
【００５９】
図１２及び図１３は、上述した押圧部材１２の他の例を示す。
【００６０】
図１２に示す押圧部材１４は、第１レンズＬ１の外周面に接する第１接触部５１、第２レンズＬ２の外周面に接する第２接触部５２、及び第３レンズＬ３の外周面に接する第３接触部５３からなる基部５４と、基部５４に支持されており且つ鏡筒１１の挿し込み溝２４の底面に接する押圧部とを有する。押圧部は接触部毎に個別に設けられており、第１接触部５１の背後に配置された第１押圧部５５と、第２接触部５２の背後に配置された第２押圧部５６と、第３接触部５３の背後に配置された第３押圧部５７とを含み、第１押圧部５５、第２押圧部５６、及び第３押圧部５７は、いずれも基部５４に支持されている。押圧部材１４は、本例では樹脂からなり、基部５４と、第１押圧部５５、第２押圧部５６、及び第３押圧部５７とは一体に形成されている。
【００６１】
第１押圧部５５は、基部５４に支持されている基端部５５ａから、基部５４との間に押圧方向の隙間をあけて鏡筒１１の像側の開口端１１ａ側に向けて延びている。そして、第１押圧部５５は、第１レンズＬ１の外周面に接する基部５４と挿し込み溝２４の底面との間に挟み込まれることにより、基部５４との間にあけられた隙間を狭める向きに弾性的に撓められ、撓められた第１押圧部５５は基部５４を介して第１レンズＬ１を径方向に押圧する。なお、第１押圧部５５は、弾性的に撓められた状態で、光軸Ａと平行に配置されている。
【００６２】
同様に、第２押圧部５６は、基部５４に支持されている基端部５６ａから、基部５４との間に押圧方向の隙間をあけて鏡筒１１の像側の開口端１１ａ側に向けて延びている。そして、第２押圧部５６は、第２レンズＬ２の外周面に接する基部５４と挿し込み溝２４の底面との間に挟み込まれることにより、基部５４との間にあけられた隙間を狭める向きに弾性的に撓められ、弾性的に撓められた第２押圧部５６は基部５４を介して第２レンズＬ２を径方向に押圧する。なお、第２押圧部５６は、弾性的に撓められた状態で、光軸Ａと平行に配置されている。
【００６３】
第３押圧部５７もまた、基部５４に支持されている基端部５７ａから、基部５４との間に押圧方向の隙間をあけて鏡筒１１の像側の開口端１１ａ側に向けて延びている。そして、第３押圧部５７は、第３レンズＬ３の外周面に接する基部５４と挿し込み溝２４の底面との間に挟み込まれることにより、基部５４との間にあけられた隙間を狭める向きに弾性的に撓められ、弾性的に撓められた第３押圧部５７は基部５４を介して第３レンズＬ３を径方向に押圧する。なお、第３押圧部５７は、弾性的に撓められた状態で、光軸Ａと平行に配置されている。
【００６４】
押圧部材１４は、上述した押圧部材１２と同様に、第１レンズＬ１、第２レンズＬ２、及び第３レンズＬ３が鏡筒１１に挿入された後、鏡筒１１の像側の開口端１１ａ側から挿し込み溝２４に挿し込まれる。これにより、押圧部材１４が第１レンズＬ１、第２レンズＬ２、及び第３レンズＬ３と鏡筒１１との間に介在し、第１レンズＬ１、第２レンズＬ２、及び第３レンズＬ３は、押圧部材１４によって径方向に押圧され、鏡筒１１の内周面に押し付けられる。
【００６５】
なお、第１レンズＬ１、第２レンズＬ２、及び第３レンズＬ３が挿入された鏡筒１１の挿し込み溝２４に押圧部材１４が円滑に挿し込まれるよう、第１押圧部５５、第２押圧部５６、及び第３押圧部５７それぞれの少なくとも基端部は、鏡筒１１の像側の開口端１１ａ側に向けて基部５４から次第に離間する傾斜状に形成されていることが好ましい。
【００６６】
この押圧部材１４によっても、上述した押圧部材１２と同様、環境温度の変化に伴って第１レンズＬ１、第２レンズＬ２、及び第３レンズＬ３の熱膨張と鏡筒１１の熱膨張との間に差が生じたとしても、第１レンズＬ１、第２レンズＬ２、及び第３レンズＬ３と鏡筒１１の内周面との接触を維持し、各レンズの倒れ及び偏芯を抑制することができる。
【００６７】
また、第１レンズＬ１、第２レンズＬ２、及び第３レンズＬ３が鏡筒１１に挿入された後に押圧部材１４が鏡筒１１の挿し込み溝２４に挿し込まれるので、第１レンズＬ１、第２レンズＬ２、及び第３レンズＬ３の鏡筒１１への挿入を押圧部材１４によって阻害せず、第１レンズＬ１、第２レンズＬ２、及び第３レンズＬ３の位置精度を高めることができる。
【００６８】
なお、図１２に示した押圧部材１４では、押圧部として、基部５４の第１接触部５１の背後に配置された第１押圧部５５と、第２接触部５２の背後に配置された第２押圧部５６と、第３接触部５３の背後に配置された第３押圧部５７とを含み、押圧部が接触部毎に個別に設けられているが、図１４に示すように、基部５４の第１接触部５１、第２接触部５２、及び第３接触部５３の全てに跨って一つの押圧部５８が設けられていてもよい。
【００６９】
また、図１２に示した第１押圧部５５、第２押圧部５６、及び第３押圧部５７、並びに図１４に示した押圧部５８の材料に金属板を用い、基部５４の材料に樹脂を用い、基部５４と、第１押圧部５５、第２押圧部５６、及び第３押圧部５７とをインサート成形によって一体化し、また、基部５４と押圧部５８とをインサート成形によって一体化してもよい。
【００７０】
ここまで、レンズユニット１０が第１レンズＬ１、第２レンズＬ２、及び第３レンズＬ３を備え、これら三つのレンズが一つの押圧部材（押圧部材１２、押圧部材１３、又は押圧部材１４）によって固定されるものとして説明したが、押圧部材は一つに限定されない。
【００７１】
図１５に示すレンズユニット１１０では、第３レンズＬ３よりも被写体側に第４レンズＬ４及び第５レンズＬ５が配置されている。第４レンズＬ４の外径及び第５レンズＬ５の外径は同一であり、且つ第３レンズＬ３の外径よりも小さくなっている。
【００７２】
第１レンズＬ１は、鏡筒１１１の内周面に設けられた第１嵌合部１２１に嵌合しており、第２レンズＬ２は、鏡筒１１１の内周面に設けられた第２嵌合部１２２に嵌合しており、第３レンズＬ３は、鏡筒１１１の内周面に設けられた第３嵌合部１２３に嵌合している。また、第３レンズＬ３より小径な第４レンズＬ４及び第５レンズＬ５は、適宜なスペーサ１２６を介して、第３嵌合部１２３に嵌合している。
【００７３】
第１レンズＬ１、第２レンズＬ２、及び第３レンズＬ３それぞれの外径は、鏡筒１１１の像側の開口端１１１ａ側から単調に増加しており、第１レンズＬ１、第２レンズＬ２、及び第３レンズＬ３と鏡筒１１１との間には、鏡筒１１１の像側の開口端１１１ａ側から光軸方向に延びる挿し込み溝１２４に挿し込まれた押圧部材１１２が介在している。
【００７４】
また、第４レンズＬ４及び第５レンズＬ５それぞれの外径は同一であり、第４レンズＬ４及び第５レンズＬ５と鏡筒１１１との間には、鏡筒１１１の被写体側の開口端１１１ｂ側から光軸方向に延びる挿し込み溝１２７に挿し込まれた押圧部材１１８が介在している。なお、図示の例では、挿し込み溝１２４と挿し込み溝１２７とは同一直線状に設けられており、互いに接続されているが、挿し込み溝１２４と挿し込み溝１２７とは円周方向にずれて設けられていてもよい。
【００７５】
押圧部材１１２及び押圧部材１１８は、上述した押圧部材１２、押圧部材１３、又は押圧部材１４と同様に構成でき、押圧部材１１２は、第１レンズＬ１から第５レンズＬ５が鏡筒１１１に挿入された後、鏡筒１１１の像側の開口端１１１ａ側から挿し込み溝１２４に挿し込まれ、押圧部材１１８は、第１レンズＬ１から第５レンズＬ５が鏡筒１１１に挿入された後、鏡筒１１１の被写体側の開口端１１１ｂ側から挿し込み溝１２７に挿し込まれる。第１レンズＬ１、第２レンズＬ２、及び第３レンズＬ３は、挿し込み溝１２４に挿し込まれた押圧部材１１２によって径方向に押圧され、第４レンズＬ４及び第５レンズＬ５は、挿し込み溝１２７に挿し込まれた押圧部材１１８によって径方向に押圧される。これにより、第１レンズＬ１から第５レンズＬ５は鏡筒１１１の内周面に押し付けられる。
【００７６】
ここまで車載用の撮像装置２を例にして本発明を説明したが、本発明は、スマートフォン等の電子機器に搭載される撮像装置にも適用可能である。
【００７７】
図１６は、本発明の撮影装置の一実施形態であるスマートフォン２００の外観を示す。
【００７８】
図１６に示すスマートフォン２００は、平板状の筐体２０１を有し、筐体２０１の一方の面に表示部としての表示パネル２０２と、入力部としての操作パネル２０３とが一体となった表示入力部２０４を備えている。また、この様な筐体２０１は、スピーカ２０５と、マイクロホン２０６と、操作部２０７と、撮像装置としてのカメラ部２０８とを備えている。なお、筐体２０１の構成はこれに限定されず、例えば、表示部と入力部とが独立した構成を採用したり、折り畳み構造やスライド機構を有する構成を採用したりすることもできる。
【００７９】
図１７は、図１６に示すスマートフォン２００の構成を示す。
【００８０】
図１７に示すように、スマートフォンの主たる構成要素として、無線通信部２１０と、表示入力部２０４と、通話部２１１と、操作部２０７と、カメラ部２０８と、記憶部２１２と、外部入出力部２１３と、ＧＰＳ（Ｇｌｏｂａｌ  Ｐｏｓｉｔｉｏｎｉｎｇ  Ｓｙｓｔｅｍ）受信部２１４と、モーションセンサ部２１５と、電源部２１６と、主制御部２２０とを備える。また、スマートフォン２００の主たる機能として、図示省略の基地局装置ＢＳと図示省略の移動通信網ＮＷとを介した移動無線通信を行う無線通信機能を備える。
【００８１】
無線通信部２１０は、主制御部２２０の指示にしたがって、移動通信網ＮＷに収容された基地局装置ＢＳに対し無線通信を行うものである。この無線通信を使用して、音声データ、画像データ等の各種ファイルデータ、電子メールデータなどの送受信や、Ｗｅｂデータやストリーミングデータなどの受信を行う。
【００８２】
表示入力部２０４は、主制御部２２０の制御により、画像（静止画像および動画像）や文字情報などを表示して視覚的にユーザに情報を伝達するとともに、表示した情報に対するユーザ操作を検出する、いわゆるタッチパネルであって、表示パネル２０２と、操作パネル２０３とを備える。
【００８３】
表示パネル２０２は、ＬＣＤ（Ｌｉｑｕｉｄ  Ｃｒｙｓｔａｌ  Ｄｉｓｐｌａｙ）、ＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）などを表示デバイスとして用いたものである。
【００８４】
操作パネル２０３は、表示パネル２０２の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部２２０に出力する。次いで、主制御部２２０は、受信した検出信号に基づいて、表示パネル２０２上の操作位置（座標）を検出する。
【００８５】
図１６に示すように、本発明の撮影装置の一実施形態として例示しているスマートフォン２００の表示パネル２０２と操作パネル２０３とは一体となって表示入力部２０４を構成しているが、操作パネル２０３が表示パネル２０２を完全に覆うような配置となっている。
【００８６】
係る配置を採用した場合、操作パネル２０３は、表示パネル２０２外の領域についても、ユーザ操作を検出する機能を備えてもよい。換言すると、操作パネル２０３は、表示パネル２０２に重なる重畳部分についての検出領域（以下、表示領域と称する）と、それ以外の表示パネル２０２に重ならない外縁部分についての検出領域（以下、非表示領域と称する）とを備えていてもよい。
【００８７】
なお、表示領域の大きさと表示パネル２０２の大きさとを完全に一致させても良いが、両者を必ずしも一致させる必要は無い。また、操作パネル２０３が、外縁部分と、それ以外の内側部分の２つの感応領域を備えていてもよい。更に、外縁部分の幅は、筐体２０１の大きさなどに応じて適宜設計されるものである。更にまた、操作パネル２０３で採用される位置検出方式としては、マトリクススイッチ方式、抵抗膜方式、表面弾性波方式、赤外線方式、電磁誘導方式、静電容量方式などが挙げられ、いずれの方式を採用することもできる。
【００８８】
通話部２１１は、スピーカ２０５やマイクロホン２０６を備え、マイクロホン２０６を通じて入力されたユーザの音声を主制御部２２０にて処理可能な音声データに変換して主制御部２２０に出力したり、無線通信部２１０あるいは外部入出力部２１３により受信された音声データを復号してスピーカ２０５から出力させたりするものである。また、図９に示すように、例えば、スピーカ２０５を表示入力部２０４が設けられた面と同じ面に搭載し、マイクロホン２０６を筐体２０１の側面に搭載することができる。
【００８９】
操作部２０７は、キースイッチなどを用いたハードウェアキーであって、ユーザからの指示を受け付けるものである。例えば、図９に示すように、操作部２０７は、スマートフォン２００の筐体２０１の側面に搭載され、指などで押下されるとオンとなり、指を離すとバネなどの復元力によってオフ状態となる押しボタン式のスイッチである。
【００９０】
記憶部２１２は、主制御部２２０の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部２１２は、スマートフォン内蔵の内部記憶部２１７と着脱自在な外部メモリスロットを有する外部記憶部２１８により構成される。なお、記憶部２１２を構成するそれぞれの内部記憶部２１７と外部記憶部２１８は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＭｉｃｒｏＳＤ（登録商標）メモリ等）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などの格納媒体を用いて実現される。
【００９１】
外部入出力部２１３は、スマートフォン２００に連結される全ての外部機器とのインターフェースの役割を果たすものであり、他の外部機器に通信等（例えば、ユニバーサルシリアルバス（ＵＳＢ）、ＩＥＥＥ１３９４など）又はネットワーク（例えば、インターネット、無線ＬＡＮ、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）（登録商標）、ＵＷＢ（Ｕｌｔｒａ  Ｗｉｄｅｂａｎｄ）（登録商標）、ジグビー（ＺｉｇＢｅｅ）（登録商標）など）により直接的又は間接的に接続するためのものである。
【００９２】
スマートフォン２００に連結される外部機器としては、例えば、有／無線ヘッドセット、有／無線外部充電器、有／無線データポート、カードソケットを介して接続されるメモリカード（Ｍｅｍｏｒｙ  ｃａｒｄ）やＳＩＭ（Ｓｕｂｓｃｒｉｂｅｒ  Ｉｄｅｎｔｉｔｙ  Ｍｏｄｕｌｅ）カード／ＵＩＭ（Ｕｓｅｒ  Ｉｄｅｎｔｉｔｙ  Ｍｏｄｕｌｅ）カード、オーディオ・ビデオＩ／Ｏ（Ｉｎｐｕｔ／Ｏｕｔｐｕｔ）端子を介して接続される外部オーディオ・ビデオ機器、無線接続される外部オーディオ・ビデオ機器、有／無線接続されるスマートフォン、有／無線接続されるパーソナルコンピュータ、有／無線接続されるＰＤＡ、イヤホンなどがある。外部入出力部２１３は、このような外部機器から伝送を受けたデータをスマートフォン２００の内部の各構成要素に伝達することや、スマートフォン２００の内部のデータが外部機器に伝送されるようにすることができる。
【００９３】
ＧＰＳ受信部２１４は、主制御部２２０の指示にしたがって、ＧＰＳ衛星ＳＴ１〜ＳＴｎから送信されるＧＰＳ信号を受信し、受信した複数のＧＰＳ信号に基づく測位演算処理を実行し、スマートフォン２００の緯度、経度、高度からなる位置を検出する。ＧＰＳ受信部２１４は、無線通信部２１０や外部入出力部２１３（例えば、無線ＬＡＮ）から位置情報を取得できる時には、その位置情報を用いて位置を検出することもできる。
【００９４】
モーションセンサ部２１５は、例えば、３軸の加速度センサなどを備え、主制御部２２０の指示にしたがって、スマートフォン２００の物理的な動きを検出する。スマートフォン２００の物理的な動きを検出することにより、スマートフォン２００の動く方向や加速度が検出される。係る検出結果は、主制御部２２０に出力されるものである。
【００９５】
電源部２１６は、主制御部２２０の指示にしたがって、スマートフォン２００の各部に、バッテリ（図示しない）に蓄えられる電力を供給するものである。
【００９６】
主制御部２２０は、マイクロプロセッサを備え、記憶部２１２が記憶する制御プログラムや制御データにしたがって動作し、スマートフォン２００の各部を統括して制御するものである。また、主制御部２２０は、無線通信部２１０を通じて、音声通信やデータ通信を行うために、通信系の各部を制御する移動通信制御機能と、アプリケーション処理機能を備える。
【００９７】
アプリケーション処理機能は、記憶部２１２が記憶するアプリケーションソフトウェアにしたがって主制御部２２０が動作することにより実現するものである。アプリケーション処理機能としては、例えば、外部入出力部２１３を制御して対向機器とデータ通信を行う赤外線通信機能や、電子メールの送受信を行う電子メール機能、Ｗｅｂページを閲覧するＷｅｂブラウジング機能などがある。
【００９８】
また、主制御部２２０は、受信データやダウンロードしたストリーミングデータなどの画像データ（静止画像や動画像のデータ）に基づいて、映像を表示入力部２０４に表示する等の画像処理機能を備える。画像処理機能とは、主制御部２２０が、上記画像データを復号し、この復号結果に画像処理を施して、画像を表示入力部２０４に表示する機能のことをいう。
【００９９】
更に、主制御部２２０は、表示パネル２０２に対する表示制御と、操作部２０７、操作パネル２０３を通じたユーザ操作を検出する操作検出制御を実行する。表示制御の実行により、主制御部２２０は、アプリケーションソフトウェアを起動するためのアイコンや、スクロールバーなどのソフトウェアキーを表示したり、あるいは電子メールを作成したりするためのウィンドウを表示する。なお、スクロールバーとは、表示パネル２０２の表示領域に収まりきれない大きな画像などについて、画像の表示部分を移動する指示を受け付けるためのソフトウェアキーのことをいう。
【０１００】
また、操作検出制御の実行により、主制御部２２０は、操作部２０７を通じたユーザ操作を検出したり、操作パネル２０３を通じて、上記アイコンに対する操作や、上記ウィンドウの入力欄に対する文字列の入力を受け付けたり、あるいは、スクロールバーを通じた表示画像のスクロール要求を受け付ける。
【０１０１】
更に、操作検出制御の実行により主制御部２２０は、操作パネル２０３に対する操作位置が、表示パネル２０２に重なる重畳部分（表示領域）か、それ以外の表示パネル２０２に重ならない外縁部分（非表示領域）かを判定し、操作パネル２０３の感応領域や、ソフトウェアキーの表示位置を制御するタッチパネル制御機能を備える。
【０１０２】
また、主制御部２２０は、操作パネル２０３に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【０１０３】
カメラ部２０８は、上述したレンズユニット１０又はレンズユニット１１０を含んで構成され、カメラ部２０８によって生成された画像データは、記憶部２１２に記録したり、外部入出力部２１３や無線通信部２１０を通じて出力したりすることができる。
【０１０４】
図１６に示すスマートフォン２００において、カメラ部２０８は表示入力部２０４と同じ面に搭載されているが、カメラ部２０８の搭載位置はこれに限らず、表示入力部２０４の背面に搭載されてもよい。
【０１０５】
また、カメラ部２０８はスマートフォン２００の各種機能に利用することができる。例えば、表示パネル２０２にカメラ部２０８で取得した画像を表示することや、操作パネル２０３の操作入力のひとつとして、カメラ部２０８の画像を利用することができる。
【０１０６】
また、ＧＰＳ受信部２１４が位置を検出する際に、カメラ部２０８からの画像を参照して位置を検出することもできる。更には、カメラ部２０８からの画像を参照して、３軸の加速度センサを用いずに、或いは、３軸の加速度センサと併用して、スマートフォン２００のカメラ部２０８の光軸方向を判断することや、現在の使用環境を判断することもできる。勿論、カメラ部２０８からの画像をアプリケーションソフトウェア内で利用することもできる。
【０１０７】
その他、静止画又は動画の画像データにＧＰＳ受信部２１４により取得した位置情報、マイクロホン２０６により取得した音声情報（主制御部等により、音声テキスト変換を行ってテキスト情報となっていてもよい）、モーションセンサ部２１５により取得した姿勢情報等などを付加して記憶部２１２に記録したり、外部入出力部２１３や無線通信部２１０を通じて出力したりすることもできる。
【０１０８】
以上説明したように、本明細書に開示されたレンズユニットは、光軸方向に並ぶ複数のレンズと、上記複数のレンズを収納する鏡筒と、上記複数のレンズのうち上記鏡筒の開口端側から連続して並ぶ２つ以上のレンズであって各レンズの外径が同一であるか又は上記開口端側から単調に増加している２つ以上のレンズと上記鏡筒との間に介在する押圧部材と、を備え、上記鏡筒は、上記開口端から上記光軸方向に延び、上記開口端側から上記押圧部材が挿し込み可能な挿し込み溝を内周面に有し、上記２つ以上のレンズの各レンズは、上記挿し込み溝に差し込まれている上記押圧部材によって径方向に押圧され、押圧方向に直交し且つ光軸を包含する平面を挟んで上記挿し込み溝が設けられている側とは反対側の上記鏡筒の内周面に押し付けられている。
【０１０９】
また、本明細書に開示されたレンズユニットは、上記押圧部材が、弾性材料からなる。
【０１１０】
また、本明細書に開示されたレンズユニットは、上記押圧部材が、上記挿し込み溝の底面に接する基部と、上記押圧方向に弾性的に変位可能に上記基部に支持されており、上記２つ以上のレンズの各レンズの外周面に接する押圧部と、を有する。
【０１１１】
また、本明細書に開示されたレンズユニットは、上記押圧部が、上記２つ以上のレンズのレンズ毎に個別に設けられている。
【０１１２】
また、本明細書に開示されたレンズユニットは、上記押圧部材が、上記２つ以上のレンズの各レンズの外周面に接する基部と、上記押圧方向に弾性的に変位可能に上記基部に支持されており、上記挿し込み溝の底面に接する押圧部と、を有する。
【０１１３】
また、本明細書に開示されたレンズユニットは、上記押圧部が、上記２つ以上のレンズの各レンズと接する上記基部の接触部毎に個別に設けられている。
【０１１４】
また、本明細書に開示されたレンズユニットは、上記押圧部が、上記２つ以上のレンズの各レンズと接する上記基部の接触部の全てに跨って設けられている。
【０１１５】
また、本明細書に開示されたレンズユニットは、上記押圧部が、上記基部に支持されている基端部から、上記基部との間に上記押圧方向の隙間をあけて上記挿し込み溝の上記開口端側に向けて延びている。
【０１１６】
また、本明細書に開示されたレンズユニットは、上記押圧部の少なくとも上記基端部が、上記挿し込み溝の上記開口端側に向けて上記基部から次第に離間する傾斜状に形成されている。
【０１１７】
また、本明細書に開示されたレンズユニットは、上記鏡筒が、上記２つ以上のレンズの各レンズが押し付けられている内周面に、上記光軸方向に並行して延びる複数の凸部を有する。
【０１１８】
また、本明細書に開示された上記レンズユニットの製造方法は、上記複数のレンズのうち少なくとも上記２つ以上のレンズの各レンズを上記鏡筒に収納し、上記２つ以上のレンズの各レンズが上記鏡筒に収納された状態で、上記押圧部材を上記開口端側から上記挿し込み溝に挿し込み、上記２つ以上のレンズの各レンズを上記押圧部材によって径方向に押圧して、上記押圧方向に直交し且つ光軸を包含する平面を挟んで上記挿し込み溝が設けられている側とは反対側の上記鏡筒の内周面に上記２つ以上のレンズの各レンズを押し付ける。
【０１１９】
また、本明細書に開示された撮像装置は、上記レンズユニットを備える。
【０１２０】
また、本明細書に開示された撮像装置は、車載用の撮像装置である。
【符号の説明】
【０１２１】
１  自動車
２  撮像装置
１０  レンズユニット
１１  鏡筒
１１ａ  開口端
１１ｂ  開口端
１２  押圧部材
１３  押圧部材
１４  押圧部材
２１  第１嵌合部
２１ａ  段差面
２２  第２嵌合部
２２ａ  段差面
２３  第３嵌合部
２３ａ  段差面
２４  挿し込み溝
２５  凸部
３１  第１接触部
３２  第２接触部
３３  第３接触部
４４  基部
４５  第１押圧部
４５ａ  基端部
４６  第２押圧部
４６ａ  基端部
４７  第３押圧部
４７ａ  基端部
５１  第１接触部
５２  第２接触部
５３  第３接触部
５４  基部
５５  第１押圧部
５５ａ  基端部
５６  第２押圧部
５６ａ  基端部
５７  第３押圧部
５７ａ  基端部
５８  押圧部
１１０  レンズユニット
１１１  鏡筒
１１１ａ  開口端
１１１ｂ  開口端
１１２  押圧部材
１１８  押圧部材
１２１  第１嵌合部
１２２  第２嵌合部
１２３  第３嵌合部
１２４  挿し込み溝
１２６  スペーサ
１２７  挿し込み溝
２００  スマートフォン
２０１  筐体
２０２  表示パネル
２０３  操作パネル
２０４  表示入力部
２０５  スピーカ
２０６  マイクロホン
２０７  操作部
２０８  カメラ部（撮像装置）
２１０  無線通信部
２１１  通話部
２１２  記憶部
２１３  外部入出力部
２１４  ＧＰＳ受信部
２１５  モーションセンサ部
２１６  電源部
２１７  内部記憶部
２１８  外部記憶部
２２０  主制御部Ａ  光軸
Ｃ１  内径円周
Ｌ１  第１レンズ
Ｌ２  第２レンズ
Ｌ３  第３レンズ
Ｌ４  第４レンズ
Ｌ５  第５レンズ
Ｓ  平面
ＳＴ１  衛星
ＳＴｎ  衛星
【図１】
0006509444.tif 000002
【図２】
0006509444.tif 000003
【図３】
0006509444.tif 000004
【図４】
0006509444.tif 000005
【図５】
0006509444.tif 000006
【図６】
0006509444.tif 000007
【図７】
0006509444.tif 000008
【図８】
0006509444.tif 000009
【図９】
0006509444.tif 000010
【図１０】
0006509444.tif 000011
【図１１】
0006509444.tif 000012
【図１２】
0006509444.tif 000013
【図１３】
0006509444.tif 000014
【図１４】
0006509444.tif 000015
【図１５】
0006509444.tif 000016
【図１６】
0006509444.tif 000017
【図１７】
0006509444.tif 000018